(57)【特許請求の範囲】
【請求項１】
中竿は、トップ釣糸ガイドを装着した穂先竿全体を振出式に収納でき、
前記トップ釣糸ガイドの穂先竿に装着した筒部に、伸縮性を有する材料からなり、割りスリットを有する円錐台形状の係止具を、その大径部を先側にして着脱自在に設け、
円錐台の小径部外径は前記中竿の先端内径よりも小さく、大径部外径は該中竿の先端部内径よりも大きい
ことを特徴とする中通し式釣竿。
【発明の詳細な説明】
【０００１】
【発明の属する技術分野】
この発明は、穂先竿の先端部を中竿の先端部外側に係止可能な中通し式釣竿に関する。
【０００２】
【従来の技術】
従来、中竿の中に収容可能なトップ釣糸ガイドが取り付けられた振り出し式中通し釣竿の穂先竿は、竿の調子の設定で中竿より短い長さの穂先竿があり、トップ釣糸ガイドに竿管内に釣糸を挿通させるワイヤ−を通す際、中竿より穂先竿先端のトップ釣糸ガイドを取り出し、中竿の中に落ち込まないように保持しなければならず、その操作が面倒であった。
又、中通し釣竿に限らず、釣糸を穂先竿の先端に結びつける竿種も同様に先端を保持しなければならないのでその操作が面倒であった。
穂先竿のなかには例えば特開平６−26896 号公報のように、外周を膨出して中竿の内径より大きいトップ釣糸ガイドを付けた穂先竿があり、この穂先竿ではワイヤ−通しの際先端を保持する必要がないと共に、このトップ釣糸ガイドでは釣糸の摩擦抵抗が少なくなる反面、穂先竿先端の重量が増え、持ち重りが生じたり、竿の調子に制約ができる欠点があるので、総ての竿種に採用することは出来ない。
【０００３】
【発明が解決しようとする課題】
解決しようとする問題点は、穂先竿全体が中竿の中に収納出来る釣竿では、穂先竿の先端から竿の中に釣糸を挿通するワイヤ−を通したり、穂先竿の先端に釣糸を結着する時、穂先竿が中竿の中に落ち込まないように保持しなければならず、その操作が面倒であった。
又、外周を膨出して中竿の内径より大きいトップ釣糸ガイドを付けた穂先竿もあるが、穂先竿先端の重量が増え、持ち重りが生じたり、竿の調子に制約ができる欠点があって総ての竿種に採用することは出来ないこと。
【０００４】
本発明の目的は前記欠点に鑑み、穂先竿先端の軽量化と調子を制約することなく釣糸の中通し作業を容易にした釣竿を提供することである。
【０００５】
【課題を解決するための手段】
前記目的を達成するために、請求項１に係わる本発明は、中竿は、トップ釣糸ガイドを装着した穂先竿全体を振出式に収納でき、前記トップ釣糸ガイドの穂先竿に装着した筒部に、伸縮性を有する材料からなり、割りスリットを有する円錐台形状の係止具を、その大径部を先側にして着脱自在に設け、円錐台の小径部外径は前記中竿の先端内径よりも小さく、大径部外径は該中竿の先端部内径よりも大きいことを要旨とするものである。
【０００６】
【発明の実施の形態】
中竿より短い長さの穂先竿３の先端が係止具５、５′、７、９、１８、２２で中竿２の中に引き込まれないから、穂先竿３の先端から竿の中に釣糸を挿通するワイヤ−の挿通や釣糸１６の結着操作が容易にできる。
トップ釣糸ガイド４が細く形成できるので穂先竿３が軽量で竿の調子に制約を受けない。
【０００７】
以下、本発明を図面に基づき更に詳細に説明する。図１から図２は参考例で、図１は振り出し式中通し釣竿の側面図、図２は元竿内に中竿と穂先竿が収納された要部拡大断面側面図である。
【０００８】
図１には釣竿として振り出し式中通し釣竿が図示されている。
振り出し式中通し釣竿は大径の元竿１の中に小径の中竿２と、中竿２の中に中竿より短い長さの穂先竿３が振り出し継合自在に収納されている。
穂先竿３の先端にトップ釣糸ガイド４が取り付けられている。
トップ釣糸ガイド４は長い筒部４ａと筒部４ａから前方に喇叭状に伸びた先端部４ｂとで一体に形成されている。
トップ釣糸ガイド４の喇叭状に伸びた先端部４ｂの外径φ４は中竿２の内径φ２に収納可能な小径に形成されている。
トップ釣糸ガイド４の長い筒部４ａの外周に係止具５が着脱自在に嵌合されている。
係止具５の軸線方向の移動はトップ釣糸ガイド４の喇叭状に伸びた先端部４ｂの元径部で保持してもよい。
【０００９】
筒部４ａ内の穂先竿３の先端と先端部４ｂ内にはリング部材１０、１１が圧入固定されている。
元竿１の前側外周には元竿１に跨るように釣糸導入用筒状フレ−ム１２が載せられて固定され、後側外周に２組の移動フ−ド１３、１４が嵌合されてリ−ル１５のリ−ル脚が装着されている。
リ−ル１５のスプ−ルに巻回された釣糸１６は釣糸導入用筒状フレ−ム１２から元竿１と小径竿２と穂先竿３とトップ釣糸ガイド４の中を通されて外に引き出されている。
【００１０】
元竿１、中竿２、穂先竿３の各竿管は夫々テ−プ状の長方形に裁断された図示しないプリプレグシ−トが図示しない芯金に適宜回数捲回された後、その外側にテ−ピングが施され、加熱炉の中に入れられて常法に従って熱硬化処理で一体に形成されている。
プリプレグシ−トは例えば炭素繊維やガラス繊維やアラミド繊維やアルミナ繊維やケプラ繊維及びその他の有機繊維、無機繊維などの高強度繊維で補強した織布等にエポキシ樹脂、フェノ−ル樹脂、ポリエステル樹脂等の熱硬化性合成樹脂が含浸されて形成されている。
係止具５は弾性を有する天然ゴムや合成ゴムでリング状に中心に透孔５ａが形成されると共に、外径φ５が中竿２の先端内径φ２より大径に形成されている。
【００１１】
中竿２、穂先竿３の中に釣糸１６が挿通される時は、元竿１から中竿２と穂先竿３が引き出されて元竿１と中竿２が継合され、穂先竿３の先端から竿の中に図示しない釣糸を挿通するワイヤ−が通されて釣糸導入用筒状フレ−ム１２から引き出して釣糸１６が結着されて引き上げられ、穂先竿３の先端から釣糸１６が取り出される。
仕舞状態で図２のように元竿１の中に中竿２と穂先竿３が収納されていると、移動で穂先竿３が他の物体に触れて損傷することが防止出来る。
仕舞状態で穂先竿３を元竿１の外側に突出するように中竿２を長く形成してもよい。
穂先竿３の先端から釣糸１６を引き出した状態で中竿２と穂先竿３が継合されて釣りが行われる。
この時係止具５は取り外されるが、太い穂先竿３の場合はそのまま係止具５を取り付けた状態で釣りを行なってもよい。
【００１２】
前記のように釣竿が構成されると、中竿より短い長さの穂先竿３の先端が係止具５で中竿２の中に引き込まれないから、穂先竿３の先端から竿の中に釣糸を挿通するワイヤ−の挿通や釣糸１６の結着操作が容易にできる。
トップ釣糸ガイド４が細いので穂先竿３が軽量で竿の調子に制約を受けない。
【００１３】
図３、図４は本発明にかかる実施例で、図３は元竿と中竿の先端部を断面にした穂先竿とトップ釣糸ガイドと係止具の要部拡大側面図、図４は元竿と中竿と穂先竿の先端部とトップ釣糸ガイドと係止具の要部拡大断面側面図である。
【００１４】
この実施例では、トップ釣糸ガイド４の長い筒部４ａの外周に浅い周溝４ｃが形成されて係止具６が着脱自在に嵌合されている。
係止具６は硬質ゴムやエラストマ樹脂等の伸縮性を有する材料で円錐形状に形成され、中心に透孔６ａが形成されると共にスリット６ｂが形成されている。
係止具６の小径側の外径は中竿２の先端内径より小径で、大径側の外径は中竿２の先端内径より大径に形成されている。
浅い周溝４ｃは省略してトップ釣糸ガイド４の長い筒部４ａから前方に喇叭状に伸びた先端部４ｂの元径部で係止具６を軸線方向で保持してもよい。
他の構成は前記参考例と略同一である。
【００１５】
この実施例のように構成されると、係止具６が周溝４ｃに嵌合するため、軸方向の移動が防止でき確実に装着できる。
穂先竿３が中竿２の中に収納された時、係止具６の小径側の外径と中竿２の先端内径との嵌合を、係止具６の弾性を利用して中竿２の先端を下に向けた際に穂先竿３が落ちない程度に保持しても良い。
【００１６】
図５は他の参考例で、図５は元竿内に中竿と穂先竿が収納された要部拡大断面側面図である。
【００１７】
この参考例では、トップ釣糸ガイド４の長い筒部４ａの外周に係止具７が着脱自在に嵌合されている。
係止具７は弾性を有する天然ゴムや合成ゴムでリング状に形成されると共に、中心に透孔７ａが、外周に凹部７ｂと凸部７ｃが形成されている。
凸部７ｃの外径は中竿２の先端内径より大径に形成されている。
凹凸部は複数形成してもよい。
凹凸部を形成することにより、係止具７を摘んで操作する際滑り難く、摘み易くなる。
他の構成は最初の参考例と略同一である。
【００１８】
図６、図７は更に他の参考例で、図６は中竿を断面で示した穂先竿の要部拡大断面側面図、図７は図６のＦ７−Ｆ７断面線の断面平面図である。
【００１９】
この参考例では、トップ釣糸ガイド４の長い筒部４ａの外周に係止具５′が着脱自在に嵌合されている。
係止具５′は弾性を有する天然ゴムや合成ゴムで薄い肉厚の筒部５ｄと中心に透孔５ａが形成されると共に、外周の両側に突出翼部５ｅが形成されている。
両側突出翼部５ｅの外径は中竿２の先端内径より大径に形成されている。
これにより係止具５′が小型軽量化できる。
他の構成は最初の参考例と略同一である。
【００２０】
図８、図９は他の参考例で、図８は振り出し式釣竿の側面図、図９は元竿内に中竿と穂先竿が収納された要部拡大断面側面図である。
【００２１】
この参考例では、穂先竿３の先端に保持筒４′が固定され、保持筒４′の長い筒部４ａの先端は小径の筒部４ｄに形成され、筒部４ａ内に連結杆８の太径軸部８ａが回転自在に収容され、太径軸部８ａの前側に軸杆８ｂと鍔部８ｃが形成されている。
鍔部８ｃでリリアンからなる釣糸係止部１７の元部が固定され、釣糸係止部１７の先端部に釣糸１６が結着される。
保持筒４′の長い筒部４ａの外周に係止具５が着脱自在に嵌合されている。
この参考例の場合は穂先竿３を中実の穂先竿としてもよい。
他の構成は最初の参考例と略同一である。
【００２２】
図１０、図１１は他の参考例で、図１０は中竿の中に穂先竿が収納された要部拡大断面側面図、図１１は係止具の斜視図である。
【００２３】
この参考例では、トップ釣糸ガイド４の長い筒部４ａの外周に係止具９が着脱自在に嵌合されている。
係止具９は弾性を有する天然ゴムや合成ゴムで肉厚の円板部９ａとスカ−ト部９ｂで皿状に形成され、円板部９ａの中心に透孔９ｃと、透孔９ｃから外側にスリ割９ｄが形成されている。
スリ割９ｄの幅は透孔９ｃ内径より狭く形成するとよい。
スカ−ト部９ｂの内径は中竿２の先端内径より大きく、中竿２の先端外径を覆うように形成されている。
他の構成は最初の参考例と略同一である。
【００２４】
図１２、図１３は他の参考例で、図１２は元竿と中竿の中に穂先竿が収納された要部拡大断面側面図、図１３は係止具より下側の拡大要部断面平面図である。
【００２５】
この参考例では、トップ釣糸ガイド４の長い筒部４ａの外周に係止具１８が着脱自在に嵌合されている。
中竿２の先端は元竿１の先端と略一致する長さに形成されている。
係止具１８は一対の挾持部１８ａと支持部１８ｂと操作レバ−部１８ｃで形成され、支持部１８ｂの透孔に支軸１９が通されている。
支軸１９の外周には発条２０が巻回されて発条２０の両端は夫々操作レバ−部１８ｃの内側に当てられている。
挾持部１８ａの内側にはゴムなどの滑り止め板２１が貼着されている。
この参考例では係止具１８の着脱が容易である。
他の構成は最初の参考例と略同一である。
【００２６】
図１４は他の参考例で、図１４は元竿と中竿の中に穂先竿が収納された要部拡大断面側面図である。
【００２７】
この参考例では、トップ釣糸ガイド４の長い筒部４ａの外周に係止具２２が着脱自在に嵌合されている。
係止具２２は硬質ゴム又は図のように金属弾性体２３の外周にゴムなどの弾性体２４で被覆されて螺旋状に形成されている。
この参考例では係止具２２が軽量になる。
他の構成は最初の参考例と略同一である。
【００２８】
前記説明では、元竿１の中に中竿２と穂先竿３が収納される振り出し式中通し釣竿で述べたが、中竿２は元竿１に並継ぎされる振り出し式中通し釣竿であってもよい。
前記説明では、１本の中竿２の場合を図示したが複数本の中竿で構成してもよく、最小径の中竿の中に穂先竿が引き込まれないようにする。
更に穂先竿３が引き込まれないように元竿１との間に係止具を設けてもよい。
【００２９】
【発明の効果】
本発明では、中竿より短い長さの穂先竿全体の先端が係止具で中竿の中に引き込まれないから、穂先竿全体の先端から竿の中に釣糸を挿通させるワイヤ−の挿通が容易にできる。トップ釣糸ガイドが細いので穂先竿が軽量で竿の調子に制約を受けない。
【図面の簡単な説明】
【図１】最初の参考例で、振り出し式中通し釣竿の側面図である。
【図２】同元竿内に中竿と穂先竿が収納された要部拡大断面側面図である。
【図３】本発明にかかる実施例で、元竿と中竿の先端部を断面にした穂先竿とトップ釣糸ガイドと係止具の要部拡大側面図である。
【図４】同元竿と中竿と穂先竿の先端部とトップ釣糸ガイドと係止具の要部拡大断面側面図である。
【図５】他の参考例で、元竿内に中竿と穂先竿が収納された要部拡大断面側面図である。
【図６】他の参考例で、中竿を断面で示した穂先竿の要部拡大断面側面図である。
【図７】同図６のＦ７−Ｆ７断面線の断面平面図である。
【図８】他の参考例で、振り出し式釣竿の側面図である。
【図９】同元竿内に中竿と穂先竿が収納された要部拡大断面側面図である。
【図１０】他の参考例で、中竿の中に穂先竿が収納された要部拡大断面側面図である。
【図１１】同係止具の斜視図である。
【図１２】他の参考例で、元竿と中竿の中に穂先竿が収納された要部拡大断面側面図である。
【図１３】同係止具より下側の拡大要部断面平面図である。
【図１４】他の参考例で、元竿と中竿の中に穂先竿が収納された要部拡大断面側面図である。
【符号の説明】
１、２、３  釣竿
２  中竿
３  穂先竿
５、５′、６、７、９、１８、２２  係止具
【図１】
0003618239.tif 000002
【図２】
0003618239.tif 000003
【図３】
0003618239.tif 000004
【図４】
0003618239.tif 000005
【図５】
0003618239.tif 000006
【図６】
0003618239.tif 000007
【図７】
0003618239.tif 000008
【図８】
0003618239.tif 000009
【図９】
0003618239.tif 000010
【図１０】
0003618239.tif 000011
【図１１】
0003618239.tif 000012
【図１２】
0003618239.tif 000013
【図１３】
0003618239.tif 000014
【図１４】
0003618239.tif 000015